(57)【要約】  【課題】  針棒の上下動作を中断させる切換え時における針棒の脱落事故を確実に防止でき、しかも針棒や針板の破損を確実に防止できるようにすること。  【解決手段】  縫製途中で針棒７Ｌの上下駆動を中断させる場合に、切換え操作時に主軸が高速で回転駆動されている場合、第２係止片４１Ｌが圧縮コイルバネ４２Ｌのバネ力により上側係止凹部７ａに係合する突出時期が遅れて、上側係止凹部７ａが第２係止片４１Ｌを下側に通過してしまって、針棒７Ｌが針棒支持枠５から外れて脱落するような場合でも、針棒７Ｌの上端に固定した座金２２Ｌが針棒支持枠５の上部枠５ａに当接するため、針棒７Ｌが針棒支持枠５から下方に脱落することがない。更に、上側及び下側係止凹部７ａ，７ｂ間の距離Ｌが、針棒７Ｌの作動ストロークＳＳよりも大きく設定されており、針棒７Ｌや針板１０の破損を確実に回避させることができる。【選択図】  図７
2006095271.tif 000002
【特許請求の範囲】
【請求項１】
針棒支持枠に昇降可能に支持された平行な２本の針棒に、主軸の駆動力を個別に伝達する２本針ミシンの駆動力伝達装置において、
各針棒に上下に所定間隔をあけて形成された上側及び下側係止凹部と、
前記上側及び下側係止凹部に亙って各針棒に形成された縦溝に可動に装着され長さ方向の途中部が枢支ピンで枢支された作動レバーであって、上下両端部に上側及び下側係止凹部を択一的に塞ぐように突出可能な当接面を有する作動レバーと、
前記主軸に連結された針棒クランクに連結された針棒抱き機構であって、各針棒の下側係止凹部に係合可能な可動の第１係止片と、その第１係止片を係合側へ付勢する第１付勢部材と、前記第１係止片を非係合位置にロックするロック機構とを備えた針棒抱き機構と、
各針棒の上側係止凹部に係合可能な第２係止片とその第２係止片を係合側へ付勢する第２付勢部材とを有し前記針棒支持枠に装備された針棒係止機構と、
前記何れかの針棒が作動ストロークの上方位置にあるときにその針棒の下側係止凹部に対する第１係止片の係合解除と、前記ロック機構のロック解除とを選択的に行わせる為の操作機構と、
前記各針棒の針棒支持枠からの脱落を防止する為に、各針棒が針棒支持枠に対する作動ストロークの下限位置よりも僅かに下降したときに、ミシン機枠側に設けた係止部材で係止される被係止部材であって各針棒に設けられた被係止部材と、
を備えたことを特徴とする２本針ミシンの駆動力伝達装置。
【請求項２】
前記被係止部材は、前記針棒の外周から水平に突出する突起部材からなることを特徴とする請求項１に記載の２本針ミシンの駆動力伝達装置。
【請求項３】
前記突起部材は針棒の上端部又はその近傍部に固定され、前記係止部材は前記針棒支持枠であることを特徴とする請求項２に記載の２本針ミシンの駆動力伝達装置。
【請求項４】
前記上側及び下側係止凹部間の距離が、針棒の作動ストロークよりも大きく設定されたことを特徴とする請求項１〜３の何れかに記載の２本針ミシンの駆動力伝達装置。
【請求項５】
前記被係止部材が前記係止部材で係止された状態において、各針棒の上側係止凹部が作動ストロークの上限位置にある第１係止片よりも上方の位置にあることを特徴とする請求項１〜４の何れかに記載の２本針ミシンの駆動力伝達装置。
【発明の詳細な説明】
【技術分野】
【０００１】
本発明は、二本針のうちの何れか使用しない縫針の針棒をその最上位置に係止保持させて、二重縫目の一方の縫目形成を一時的に中断できるようにしたものに関する。
【背景技術】
【０００２】
従来、二本針送りミシン等で、ジーンズ等のポケット生地の周囲に二重縫目を形成する際に、ポケット生地のコーナ部においては、二重縫目のうちの内側の縫目を形成する針棒を最上位置に一時的に保持して休止させておき、外側の縫目だけを連続させて形成した後、コーナ部の縫製終了に伴って、休止させておいた針棒を継続して上下動させるようにし、ポケット生地の外周部に二重縫目を形成するようにしている。
【０００３】
例えば、特許文献１のミシンの針棒運動制御装置は、左右１対の針棒の各々に、上下１対の係止凹部を形成し、針棒とこれら係止凹部のうちの下側の係止凹部と嵌合してミシン主軸と連動して上下動される針棒抱きと針棒とを連結し得る第１の係止片と、上側の係止凹部と嵌合して針棒を最上位置に休止させる第２の係止片とを設け、これら係止凹部間に上下方向に長い作動レバーを介在させ、切換え手段により、その作動レバーを回動させて第１及び第２の係止片の係止凹部に対する嵌合と離脱を行えるように構成し、ミシン主軸に対する左右の針棒の何れか一方の上下動を最上位置で休止できるようにしてある。
【０００４】
即ち、針棒を上下動させないでその最上位置に休止させる場合には、針棒の最上位置において、切換え手段を介して第１の係止片が針棒抱き内側に後退して、第１の係止片が下方の係止凹部から離脱する。このとき、作動レバーは回動自由な状態となり、第２の係止片が上方の係止凹部に嵌入し、針棒がその最上位置に休止するようにしてある。
【特許文献１】実公昭５５−３４９３８号公報  （第２〜３頁、図１〜図３）
【発明の開示】
【発明が解決しようとする課題】
【０００５】
前述した特許文献１に記載のミシンの針棒運動制御装置において、二重縫い作業に長けた作業者は、コーナ部を縫製する場合、切換え手段を適宜操作して、前述したように一方の針棒の上下動をその最上位置で休止させるようにしている。ところで、作業者が切換え手段の操作を高速回転時に行った場合、針棒の移動速度が速い為、第２の係止片が第２のコイルバネのバネ力により上方の係止凹部に係合する係合時期が遅れ（応答遅れ）て、上方の係止凹部が第２の係止片を通過してしまった場合、針棒は何れの係止凹部で係止されなくなり、針棒が脱落してしまう、所謂針棒抜けが生じるという問題がある。
【０００６】
更に、針棒が前述したように脱落して針棒抜けが生じた場合であって、針棒の上下駆動中に、第１の係止片が上方の係止凹部に係合するような場合には、針棒は作動ストローク分だけ下がった高さ位置で上下駆動されるようになり、針棒が下降する毎にその下端部が針板に繰り返して強く衝突するため、針棒に曲がりが生じたり、針板が破損する等の問題がある。
【課題を解決するための手段】
【０００７】
請求項１に係る２本針ミシンの駆動力伝達装置は、針棒支持枠に昇降可能に支持された平行な２本の針棒に、主軸の駆動力を個別に伝達する２本針ミシンの駆動力伝達装置において、各針棒に上下に所定間隔をあけて形成された上側及び下側係止凹部と、上側及び下側係止凹部に亙って各針棒に形成された縦溝に可動に装着され長さ方向の途中部が主軸と平行な枢支ピンで枢支された作動レバーであって、上下両端部に上側及び下側係止凹部を択一的に塞ぐように突出可能な当接面を有する作動レバーと、主軸に連結された針棒クランクに連結された針棒抱き機構であって、各針棒の下側係止凹部に係合可能な可動の第１係止片と、その第１係止片を係合側へ付勢する第１付勢部材と、第１係止片を非係合位置にロックするロック機構とを備えた針棒抱き機構と、各針棒の上側係止凹部に係合可能な第２係止片とその第２係止片を係合側へ付勢する第２付勢部材とを有し針棒支持枠に装備された針棒係止機構と、何れかの針棒が作動ストロークの上方位置にあるときにその針棒の下側係止凹部に対する第１係止片の係合解除と、ロック機構のロック解除とを選択的に行わせる為の操作機構と、各針棒の針棒支持枠からの脱落を防止する為に、各針棒が針棒支持枠に対する作動ストロークの下限位置よりも僅かに下降したときに、ミシン機枠側に設けた係止部材で係止される被係止部材であって各針棒に設けられた被係止部材とを備えたものである。
【０００８】
操作機構によりロック機構のロック状態が解除された場合、第１係止部材が第１付勢部材により下側係止凹部に係合するので、縦溝に装着された作動レバーが枢支ピンを介して揺動し、上側の当接面で上側係止凹部を塞ぐので、針棒支持枠の上部枠に装備された第２係止片が上側係止凹部に係合することはない。この状態で主軸が回転駆動されると、主軸の駆動力は、針棒クランクに連結された針棒抱き機構を介して針棒が上下に作動ストロークだけ往復駆動される。
【０００９】
一方、何れかの針棒が作動ストロークの上方位置にあるときに、操作機構により第１係止片の下側係止凹部との係合が解除された場合、縦溝に装着された作動レバーが揺動し、下側の当接面で下側係止凹部を塞ぐので、第２付勢部材で付勢された第２係止片が上側係止凹部に係合する。この状態で主軸が回転駆動されても、主軸の駆動力は、第１係止片の係合が解除された針棒に伝達されることがなく、針棒はその上方位置に係止保持され、上下駆動されることはない。
【００１０】
ところで、高速回転時の切換え操作により、針棒の移動速度が速く、第２係止片が追従できず（応答遅れ）、針棒が係止されない場合には、第１，第２係止片の何れも針棒を支持していないため、針棒が針棒支持枠から脱落するような状態でも、針棒に設けた被係止部材がミシン機枠側に設けた係止部材で係止されるため、針棒の脱落が防止される。
【００１１】
請求項２に係る２本針ミシンの駆動力伝達装置は、請求項１の発明において、前記被係止部材は、針棒の外周から水平に突出する突起部材からなるものである。
【００１２】
請求項３に係る２本針ミシンの駆動力伝達装置は、請求項２の発明において、前記突起部材は針棒の上端部又はその近傍部に固定され、係止部材は針棒支持枠で構成されたものである。
【００１３】
請求項４に係る２本針ミシンの駆動力伝達装置は、請求項１〜３の何れかの発明において、前記上側及び下側係止凹部間の距離が、針棒の作動ストロークよりも大きく設定されたものである。
【００１４】
請求項５に係る２本針ミシンの駆動力伝達装置は、請求項１〜４の何れかの発明において、前記被係止部材が係止部材で係止された状態において、各針棒の上側係止凹部が作動ストロークの上限位置にある第１係止片よりも上方の位置にあるものである。
【発明の効果】
【００１５】
請求項１の発明によれば、針棒支持枠に昇降可能に支持された平行な２本の針棒に、主軸の駆動力を個別に伝達する２本針ミシンの駆動力伝達装置において、各針棒に形成された上側及び下側係止凹部と、上側及び下側係止凹部に亙って各針棒に形成された縦溝に可動に装着された作動レバーと、第１係止片とロック機構とを備え、主軸に連結された針棒クランクに連結された針棒抱き機構と、第２係止片と第２付勢部材とを有し針棒支持枠に装備された針棒係止機構と、操作機構と、各針棒の針棒支持枠からの脱落を防止する為にミシン機枠側に設けた係止部材で係止される被係止部材とを設けたので、操作機構により高速回転時に切換え操作が行われ、針棒の移動速度が速く、第２係止片が追従できず（応答遅れ）、上側係止凹部が下方に通過した場合に、第１，第２係止片の何れも針棒を係止支持していない状態であって、針棒が針棒支持枠から脱落するような状態でも、針棒に設けた被係止部材がミシン機枠側に設けた係止部材で係止されるため、針棒の針棒支持枠からの脱落を確実に防止することができる。
【００１６】
請求項２の発明によれば、前記被係止部材は、針棒の外周から水平に突出する突起部材からなるので、小型且つ安価な突起部材を針棒に水平状に固定するだけで、針棒の脱落防止を実現させることができる。その他請求項１と同様の効果を奏する。
【００１７】
請求項３の発明によれば、前記突起部材は針棒の上端部又はその近傍部に固定され、係止部材は針棒支持枠で構成されたので、係止部材を別途設けることなく、ミシンに有する針棒支持枠を有効活用して係止部材として機能させることができるだけでなく、突起部材の針棒への取付けが簡単課する。その他請求項２と同様の効果を奏する。
【００１８】
請求項４の発明によれば、前記上側及び下側係止凹部間の距離が、針棒の作動ストロークよりも大きく設定されたので、被係止部材で脱落しないように係止された針棒において、下側係止凹部と作動ストロークの下限位置とが略対応するような場合には、主軸の駆動力により針棒抱き機構の上下駆動中に、第１係止片と上側係止凹部との係合を確実に回避できる為、針棒の下端部と針板との衝突を防止でき、針棒や針板の破損を確実に防止することができる。その他請求項１〜３の何れかと同様の効果を奏する。
【００１９】
請求項５の発明によれば、前記被係止部材が係止部材で係止された状態において、各針棒の上側係止凹部が作動ストロークの上限位置にある第１係止片よりも上方の位置にあるので、主軸の駆動力により針棒抱き機構の上下駆動中に、第１係止片と上側係止凹部との係合を確実に回避できる為、針棒の下端部と針板との衝突を防止でき、針棒や針板の破損を確実に防止することができる。その他請求項１〜４の何れかと同様の効果を奏する。
【発明を実施するための最良の形態】
【００２０】
本実施形態における２本針ミシンの駆動力伝達装置は、針棒の上端に固着した被係止部材をミシン機枠側に設けた係止部材で係止して針棒の脱落事故を防止でき、しかも上下両係合凹部間の距離を針棒の作動ストロークよりも大きくして、針棒抱き機構内の第１係止片が上側係合凹部に係合できないようにし、針棒と針板の衝突による破損を確実に防止できるようにしてある。
【実施例】
【００２１】
針送りが可能な２本針ミシン１のアーム部２内に主軸４が左右向きに配設され、機枠２Ａに複数箇所で回転可能に枢支されている。アーム部２の頭部３内においては、正面視にて略Ｕ字状の針棒支持枠５が左右向きの揺動軸６の左端部に固着され、公知のように揺動軸６を介して前後（針送り方向）に揺動可能になっている。針棒支持枠５の上部枠５ａと下部枠５ｂにより、左右に所定距離隔てた２本の針棒７Ｌ，７Ｒの各々が上部と下部において夫々上下動可能に支持され、各針棒７Ｌ，７Ｒの下端部に、縫針８が夫々着脱可能に固定されている。
【００２２】
次に、主軸４の駆動力を各針棒７Ｌ，７Ｒに伝達する駆動力伝達装置１１について説明する。この駆動力伝達装置１１は、各針棒７Ｌ，７Ｒ毎に形成された上側及び下側係止凹部７ａ，７ｂと、作動レバー１２Ｌ，１２Ｒと、針棒抱き機構１３Ｌ，１３Ｒと、針棒係止機構１４Ｌ，１４Ｒと、操作機構１５等を備えている。ここで、上側及び下側係止凹部７ａ，７ｂと、作動レバー１２Ｌ，１２Ｒと、針棒抱き機構１３Ｌ，１３Ｒと、針棒係止機構１４Ｌ，１４Ｒとは、左右の針棒７Ｌ，７Ｒについて同様に構成されているため、左側の針棒７Ｌに関して説明するものとする。
【００２３】
右側の針棒７Ｒに関しては、左側の針棒７Ｌに関して説明する部材と同様のものには同様の符号を付してその説明を省略する。但し、左側の針棒７Ｌに関する機構や部材を符号Ｌを伴って説明し、右側の針棒７Ｒに関する機構や部材を符号Ｒを伴って説明する。
【００２４】
針棒抱き１７は、平行な左右１対の針棒７Ｌ，７Ｒが上下方向に挿嵌される左右１対の貫通孔１７ａを有するブロック状の部材で、その右端部において針棒クランクロッド１８を介して、主軸４の端部に固定された針棒クランク１９の偏心位置に連結されている。それ故、主軸４の回転に伴って針棒クランク１９と針棒クランクロッド１８を介して針棒抱き１７が上下動し、後述するロック機構２７Ｌ，２７Ｒを介して１対の針棒７Ｌ，７Ｒが同期して作動ストロークＳＳ（図７参照）だけ上下に往復運動する。
【００２５】
先ず、針棒７Ｌに形成された上側及び下側係止凹部７ａ，７ｂと、針棒７Ｌに装備された作動レバー１２Ｌについて説明する。左側の針棒７Ｌは円柱状であるが、図３，図４に示すように、その上端部から略下端部に亙って面取りされた所定幅を有する平坦部７ｃが形成されている。図３に示すように、針棒７Ｌの上段部分に、上下に所定距離Ｌあけて、側面視円弧状の切欠きである上側係止凹部７ａと、側面視矩形状の下側係止凹部７ｂとが夫々形成されている。
【００２６】
針棒７Ｌの平坦部７ｃには、これら上側係止凹部７ａと下側係止凹部７ｂとに亙って、縦方向に延びる縦溝７ｄが所定長さに亙って形成されている。即ち、上側及び下側係止凹部７ａ，７ｂ間の距離Ｌが、針棒７Ｌの上下方向の作動ストロークＳＳよりも大きく設定（図７参照）されている。
【００２７】
板部材からなる作動レバー１２Ｌは、針棒７Ｌに形成された縦溝７ｄ内に可動に装着され、長さ方向の途中部において主軸４と平行な枢支ピン２１で針棒７Ｌに回動可能に枢支されている。その作動レバー１２Ｌの上下両端部には、上側及び下側係止凹部７ａ，７ｂを択一的に塞ぐように突出可能な当接面１２ａ，１２ｂが夫々形成されている。
【００２８】
針棒７Ｌの上端に、針棒７Ｌの外形よりも大きい、つまり針棒７Ｌの外周から水平に突出する突起部材である座金２２Ｌ（これが被係止部材に相当する）がビス２３Ｌで固定されている。そのため、針棒７Ｌはその座金２２Ｌにより、針棒支持枠５から下方に脱落しないようになっている。
【００２９】
次に、主軸４に連結された針棒クランク１９に連結された針棒抱き機構１３Ｌについて説明する。針棒抱き機構１３Ｌは、針棒７Ｌの下側係止凹部７ｂに係合可能な可動の第１係止片２５Ｌと、その第１係止片２５Ｌを係合側へ付勢する第１コイルバネ２６Ｌ（これが第１付勢部材に相当する）と、第１係止片２５Ｌを非係合位置にロックするロック機構２７Ｌとを備えている。
【００３０】
図４に示すように、第１係止片２５Ｌは水平向きの円柱状であり、針棒抱き１７に形成された前後方向向きの収容孔１７ｂ内に前後移動可能に嵌入され、前端部の２分割された円筒状部に水平な支持ピン２８Ｌが固着されている。それ故、第１係止片２５Ｌにより、上下１対の係止凹部７ａ，７ｂのうちの下側係止凹部７ｂと協働して、針棒抱き１７と針棒７Ｌとが連結され、主軸４の駆動力が針棒抱き１７を介して針棒７Ｌに伝達される。
【００３１】
次に、ロック機構２７Ｌについて説明する。側面視にてＬ字状の揺動レバー３１Ｌは、針棒抱き１７に枢支ピン３２により回動可能に枢支され、その下端部において縦向きの長穴３１ａが形成され、その長穴３１ａ内に支持ピン２８Ｌが挿通されている。第１コイルバネ２６Ｌは、針棒抱き１７の上部に上下向きに形成された円筒状凹部１７ｃ内に収容され、揺動レバー３１Ｌの嘴状後端部に下側から係合して、揺動レバー３１Ｌを図４，図５−１において時計回りに回動させるように、第１係止片２５Ｌを常には下側係止凹部７ｂ内に係合させるように弾性付勢している。
【００３２】
第１係止片２５Ｌの下側に配設された側面視逆さＬ字状の係止レバー３３Ｌは、その基端部において針棒抱き１７に枢支ピン３４Ｌにより回動可能に枢支されている。係止レバー３３Ｌには、支持ピン２８Ｌに前側から係合する鉛直腕部３３ａと、水平且つ右方向に延びる水平腕部３３ｃとが一体的に形成され、係止レバー３３Ｌの後端部に上向きの係止フック部３３ｂが形成されている。
【００３３】
更に、係止レバー３３Ｌの係止フック部３３ｂの下側と針棒抱き１７との間に第２圧縮コイルバネ３５Ｌが張設されており、係止レバー３３Ｌには、図４，図５−１に示すように、時計回りの回動力が付与されている。
【００３４】
後述する操作機構１５の操作により、揺動レバー３１Ｌが第１圧縮コイルバネ２６Ｌのバネ力に抗して反時計回りに回動した場合、第１係止片２５Ｌが支持ピン２８Ｌを介して前方に移動されるので、係止フック部３３ｂが第１係止片２５Ｌの下部に形成された係合凹部２５ａに係止する（図６−１参照）。その結果、第１係止片２５Ｌは下側係止凹部７ｂとの係合が解除されて非係合位置にロックされる。
【００３５】
左側の係止レバー３３Ｌの水平腕部３３ｃは、右側の係止レバー３３Ｒの水平腕部３３ｃに接近する位置まで延び、両水平腕部３３ｃの接合部には針棒抱き１７に上下動可能に支持された解除ピン３６の下端が、両水平腕部３３ｃの上面に均等に当接するように延びている。その解除ピン３６は針棒抱き１７に固定した座金３７との間に張設された極めて弱い圧縮コイルバネ３８により常に下方向きの押圧力を受けている。
【００３６】
次に、針棒７Ｌをその最上位置付近に係止保持する針棒係止機構１４Ｌについて説明する。針棒支持枠５の上部枠５ａに形成された前後方向向きの貫通孔５ｃにより第２係止片４１Ｌが前後移動可能に支持され、第２係止片４１Ｌの内部に圧縮コイルバネ４２Ｌ（これが第２付勢部材に相当する）が嵌め込まれ、その圧縮コイルバネ４２Ｌの後端が、ビス４３により上部枠５ａに固着された閉鎖板４４で位置規制されている。
【００３７】
それ故、第２係止片４１Ｌは、常には圧縮コイルバネ４２Ｌのバネ力により、上側係止凹部７ａ内に係合するように弾性付勢されている。即ち、第２係止片４１Ｌが上側係止凹部７ａに係合した場合、針棒抱き１７の上下駆動とは無関係に、針棒７Ｌをその作動ストロークＳＳの略上方位置に一時的に係止保持させる（図６−１，６−２参照）。
【００３８】
ところで、前述したように、第１係止片２５Ｌが下側係止凹部７ｂに係合したとき、図５−１に示すように、作動レバー１２Ｌの下側当接面１２ｂが後方に押されて、上側当接面１２ａが上側係止凹部７ａに突出するため、第２係止片４１Ｌの上側係止凹部７ａへの係合が確実に阻止されるとともに、第１係止片２５Ｌは第１圧縮コイルバネ２６Ｌのバネ力により下側係止凹部７ｂに係合保持される。
【００３９】
一方、図６−１に示すように、圧縮コイルバネ４２Ｌのバネ力により第２係止片４１Ｌが上側係止凹部７ａに係合したとき、作動レバー１２Ｌの上側当接面１２ａが後方に押されて、下側当接面１２ｂが下側係止凹部７ｂに突出するため、第１係止片２５Ｌの下側係止凹部７ｂへの係合が確実に阻止されるようになっている。この場合、第２係止片４１Ｌは圧縮コイルバネ４２Ｌのバネ力により上側係止凹部７ａに係合保持される。
【００４０】
次に、針棒７Ｌが作動ストロークＳＳの上方位置にあるときに、その針棒７Ｌの下側係止凹部７ｂに対する第１係止片２５Ｌの係合解除と、ロック機構２７Ｌのロック解除とを選択的に行わせる為の操作機構１５について説明する。
【００４１】
前述した針棒支持枠５に設けられた針棒係止機構１４Ｌの直ぐ下側の上部枠５ａに水平な支持凹部（図示略）が形成され、図１，図４に示すように、支持凹部内に摺動片４６が摺動可能に収容され、ビス４７で針棒支持枠５に固定された蓋板４８により摺動片４６の離脱が阻止されている。その摺動片４６の右端部には、下方に突出する作動突起４６ａが一体形成されている。
【００４２】
この場合、摺動片４６は、図４に示すように、作業者により操作される切換え手段（図示略）の操作に基づいて、作動突起４６ａが解除ピン３６に対応する駆動力伝達位置（実線にて図示）と、作動突起４６ａが左側の揺動レバー３１Ｌに対応する左針棒係合解除位置（左側の２点鎖線で図示）と、作動突起４６ａが右側の揺動レバー３１Ｒに対応する右針棒係合解除位置（右側の２点鎖線で図示）との３位置に適宜切換えられる。
【００４３】
即ち、切換え手段の操作により摺動片４６の作動突起４６ａが左側の揺動レバー３１Ｌに対応する左針棒係合解除位置に切換えられると、針棒抱き１７が作動ストロークＳＳの最上位置に上昇したとき、作動突起４６ａで左側の揺動レバー３１Ｌを下方に押圧するため、揺動レバー３１Ｌが反時計回りに回動して、第１圧縮コイルバネ２６Ｌによる下側係止凹部７ｂに対する第１係止片２５Ｌの係合が解除される。
【００４４】
一方、切換え手段の操作により作動突起４６ａが解除ピン３６に対応する駆動力伝達位置に切換えられると、針棒抱き１７が作動ストロークＳＳの最上位置に上昇したとき、作動突起４６ａで解除ピン３６が下方に押圧される為、水平腕部３３ｃを介して係止レバー３３Ｌが反時計回りに回動する。
【００４５】
その結果、係止フック部３３ｂによる第１係止片２５Ｌの非係合位置におけるロックが解除、つまりロック機構２７Ｌのロック解除が行われ、第１係止片２５Ｌが下側係止凹部７ｂに係合する。但し、切換え手段の操作により摺動片４６の切換えは、針棒７Ｌが作動ストロークＳＳの上方位置にあるときに選択的に行われる。
【００４６】
次に、このように構成された駆動力伝達装置１１の作用について説明する。
前述したように、切換え手段の操作により作動突起４６ａが解除ピン３６に対応する駆動力伝達位置に切換えられた場合、針棒抱き１７が作動ストロークＳＳの最上位置に上昇したときに、解除ピン３６が下方に押し下げられ、前述したように係止レバー３３Ｌ，３３Ｒが回動して係止フック部３３ｂと係合凹部２５ａとの係合が夫々解除される。
【００４７】
それ故、左右１対の揺動レバー３１Ｌ，３１Ｒが第１圧縮コイルバネ２６Ｌ，２６Ｒのバネ力により、図５−１にて同時に時計回りに回動され、第１係止片２５Ｌ，２５Ｒは、非係合位置におけるロック機構２７Ｌのロックが解除されて、対応する針棒７Ｌ，７Ｒの下側係止凹部７ｂに夫々同時に係合する。
【００４８】
このように、第１係止片２５Ｌ，２５Ｒが対応する下側係止凹部７ｂに夫々係合した状態で主軸４が回転されると、主軸４の回転駆動力により、針棒クランク１９と、針棒クランクロッド１８と、針棒抱き１７と、第１係止片２５Ｌ，２５Ｒとを介して、左右１対の針棒７Ｌ，７Ｒが作動ストロークＳＳに亙って同期して上下に駆動され、２本針縫いが実行される。
【００４９】
即ち、針棒抱き１７が最下位置に下降駆動されると、図５−１に示すように、針棒７Ｌ，７Ｒが作動ストロークＳＳの下限位置に下降し、針棒抱き１７が最上位置に上昇駆動されると、図５−２に示すように、針棒７Ｌ，７Ｒが作動ストロークＳＳの上限位置に上昇する。
【００５０】
ここで、針棒７Ｌ，７Ｒが作動ストロークＳＳの下限位置に下降した場合でも、針棒７Ｌ，７Ｒの上端が僅かに針棒支持枠５から上側に突出しているため、縫製時に、針棒７Ｌ，７Ｒの上端に夫々固定した座金２２Ｌ，２２Ｒが針棒支持枠５の上部枠５ａに衝突することはない。
【００５１】
このように、左右１対の針棒７Ｌ，７Ｒが上下に往復駆動されている駆動状態においては、第１係止片２５Ｌ，２５Ｒが対応する作動レバー１２Ｌ，１２Ｒの下側当接面１２ｂを後方に押しているため、作動レバー１２Ｌ，１２Ｒは枢支ピン２１の回りに、図５−１，図５−２にて時計回りに回動して上側当接面１２ａが上側係止凹部７ａに突出し、第２係止片４１Ｌ，４１Ｒが上側係止凹部７ａに係合することがない。
【００５２】
ここで、何れか一方の針棒７Ｌ，７Ｒ、例えば左側の針棒７Ｌの上下駆動を中断させる場合、切換え手段の操作により摺動片４６を、その作動突起４６ａが左側の揺動レバー３１Ｌに対応する左針棒係合解除位置に切換える。この場合、前述したように、主軸４の回転により針棒抱き１７が最上位置に上昇したとき、揺動レバー３１Ｌの嘴状後端部が作動突起４６ａで下方に押圧され、揺動レバー３１Ｌは第１圧縮コイルバネ２６Ｌのバネ力に抗して反時計回りに回動され、第１係止片２５Ｌの下側係止凹部７ｂに対する係合が解除され、ロック機構２７Ｌによりその非係合位置にロックされる。
【００５３】
このとき、第１係止片２５Ｌの非係合位置への後退により作動レバー１２Ｌは自由な状態となるため、第２係止片４１Ｌが圧縮コイルバネ４２Ｌのバネ力により針棒７Ｌの上側係止凹部７ａに係合し、図６−１に示すように針棒抱き１７が最下位置に下降した場合でも、図６−２に示すように針棒抱き１７が最上位置に上昇した場合でも、針棒７Ｌはその作動ストロークＳＳの上方位置に係止保持され、最早、上下駆動することはない。
【００５４】
ところで、切換え手段を操作して、同期しながら上下駆動されている２本の針棒７Ｌ，７Ｒの何れか一方の上下駆動を中断させる場合に、主軸４が高速で回転駆動されている場合に、第２係止片４１Ｌが圧縮コイルバネ４２Ｌのバネ力により上側係止凹部７ａに係合する突出時期が遅れて、上側係止凹部７ａが第２係止片４１Ｌの下側に通過してしまった場合、針棒７Ｌは何れの係止凹部７ａ，７ｂで係止されることがない為、針棒７Ｌが針棒支持枠５から外れて下方に脱落するようになる。
【００５５】
しかし、そのような場合であっても、図７に示すように、針棒７Ｌが作動ストロークＳＳの下限位置よりも僅かに下降したときに、針棒７Ｌの上端に固定した座金２２Ｌが、針棒支持枠５の上部枠５ａの上端に上側から当接するため、針棒７Ｌが針棒支持枠５から下方に脱落することがない。それ故、縫製中における所謂、針棒抜けを確実に防止することができる。
【００５６】
更に、このように針棒抜けを防止できた場合であっても、図７に示すように、上側及び下側係止凹部７ａ，７ｂ間の距離Ｌが、針棒７Ｌの作動ストロークＳＳよりも大きく設定されており、しかも座金２２Ｌが針棒支持枠５で係止された状態において、針棒７Ｌの上側係止凹部７ａが、作動ストロークＳＳの上限位置にある第１係止片２５Ｌよりも上方の位置にある為、針棒抱き１７が作動ストロークＳＳに亙って高速で上下駆動されている場合であっても、針棒抱き１７の第１係止片２５Ｌが上側係止凹部７ａに係合することが絶対にない。
【００５７】
その為、従来のように、何らかの理由で第１係止片２５Ｌが上側係止凹部７ａに係合してしまい、針棒７Ｌの下端部がベッド部９の針板１０に繰り返して強く衝突するような事故を確実に防止することができ、針棒７Ｌや針板１０を破損させるようなことを確実に回避させることができる。
【００５８】
また、針棒７Ｌ，７Ｒの上端部に夫々座金２２Ｌ，２２Ｒをビス２３Ｌ，２３Ｒで固定したので、小型且つ安価な座金２２Ｌ，２２Ｒを針棒７Ｌ，７Ｒに固定するだけで、針棒７Ｌ，７Ｒの脱落防止を実現させることができる。
【００５９】
また、上側及び下側係止凹部７ａ，７ｂ間の距離Ｌが、針棒７Ｌ，７Ｒの作動ストロークＳＳよりも大きく設定されている。つまり、座金２２Ｌ，２２Ｒが針棒支持枠５で係止された状態において、各針棒７Ｌ，７Ｒの上側係止凹部７ａが作動ストロークＳＳの上限位置にある第１係止片２５Ｌ，２５Ｒよりも上方の位置にあるので、主軸４の駆動力により針棒抱き機構１３の上下駆動中に、第１係止片２５Ｌ，２５Ｒと上側係止凹部７ａとの係合を確実に回避できる為、針棒７Ｌ，７Ｒの下端部と針板１０との衝突を防止でき、針棒７Ｌ，７Ｒや針板１０の破損を確実に防止することができる。
【００６０】
次に、前記実施例の変更形態について説明する。
【００６１】
１〕針棒７Ｌが針棒支持枠５から外れて脱落しないように、針棒支持枠５以外に、ミシン機枠２Ａに設けた各種の係止部材で針棒７Ｌを係止するようにしてもよい。即ち、図８，図９に示すように、アーム部の後側の機枠２Ａに、側面視ほぼ横Ｌ字状に曲げ形成された針棒係止板５０（これが係止部材に相当する）の鉛直壁部５０ａが固着されている。
【００６２】
その針棒係止板５０の水平壁部５０ｂは、針棒支持枠５の上部枠５ａの上端の直ぐ上側の高さ位置で、針棒７Ｌ，７Ｒの方、つまり前方に水平に延び、先端部に左右１対の切欠き部５０ｃが夫々形成されている。
【００６３】
これら切欠き部５０ｃの左右方向幅は、針棒７Ｌ，７Ｒの直径よりも微少寸法だけ大きくなっており、針棒７Ｌ，７Ｒは対応する切欠き部５０ｃの奥側に夫々上下動可能に支持されている。更に、各針棒７Ｌ，７Ｒの上端部には、前記実施例と同様に、座金２２Ｌ，２２Ｒがビス２３Ｌ，２３Ｒで夫々固定されている。
【００６４】
それ故、前記実施例と同様に、縫製中に針棒７Ｌ，７Ｒの何れかが針棒支持枠５から外れて下方に脱落するような場合であっても、針棒７Ｌ，７Ｒが作動ストロークＳＳの下限位置よりも僅かに下降したときに、針棒７Ｌ，７Ｒの上端に固定した座金２２Ｌ，２２Ｒが針棒係止板５０に上側から当接するため、縫製中における所謂、針棒抜けを確実に防止することができる。
【００６５】
２〕針棒７Ｌ，７Ｒに設ける被係止部材は、針棒７Ｌ，７Ｒの上端近傍部であってもよい。即ち、図１０に示すように、針棒７Ｌ，７Ｒの上部の長さを幾分長くし、針棒７Ｌ，７Ｒが作動ストロークＳＳの下限位置よりも僅かに下降したときに、針棒支持枠５の上部枠５ａに上側から当接するリング部材５１（これが被係止部材に相当する）が、針棒７Ｌ，７Ｒに夫々溶接されている。
【００６６】
この場合にも、簡単な被係止部材であるリング部材５１を針棒７Ｌ，７Ｒの上端近傍部に夫々溶着するだけで、前記実施例と同様の作用及び効果が得られる。
【００６７】
３〕針棒７Ｌ，７Ｒに設ける被係止部材は、針棒７Ｌ，７Ｒの高さ方向中段部であってもよい。即ち、図１１，図１２に示すように、針棒７Ｌ，７Ｒが作動ストロークＳＳの下限位置よりも僅かに下降したときに、針棒支持枠５の下部枠５ｂに上側から当接するＥリング５２（これが被係止部材に相当する）が、針棒７Ｌ，７Ｒに夫々形成した環状溝７ｅに嵌入されている。この場合にも、簡単な被係止部材であるＥリング５２を針棒７Ｌ，７Ｒの中段部に装着するだけで、前記実施例と同様の作用及び効果が得られる。
【００６８】
４〕針棒７Ｌ，７Ｒに設ける被係止部材は、座金２２Ｌ，２２Ｒやリング部材５１やＥリング５２に代えて、ピン部材や薄い板状又は小型ブロック状の突起部材等、各種の突起状の被係止部材を針棒７Ｌ，７Ｒに設けるようにしてもよい。
【００６９】
５〕駆動力伝達機能に支障がない針棒７Ｌ，７Ｒの任意の部位に係合凹部を形成しておき、針棒７Ｌ，７Ｒが針棒支持枠５から下方に脱落するような高さ位置のときに、針棒支持枠５の内部に装備されてバネ付勢された係合ピンが針棒７Ｌ，７Ｒの係合凹部に係合するようにして、針棒７Ｌ，７Ｒの針棒支持枠５からの脱落が防止できるようにしてもよい。
【００７０】
６〕本発明は以上説明した実施の形態に限定されるものではなく、当業者であれば、本発明の趣旨を逸脱しない範囲で、前記実施例に種々の変更を付加して実施することができ、本発明はそれらの変更形態をも包含するものである。
【図面の簡単な説明】
【００７１】
【図１】本発明の実施例に係る２本針ミシンのアーム部の要部縦断正面図である。
【図２】本発明の実施例に係る２本針ミシンのアーム部の左側側面図である。
【図３】針棒の正面図である。
【図４】針棒抱きの分解斜視図である。
【図５−１】針棒下降時の要部縦断側面図である。
【図５−２】針棒上昇時の要部縦断側面図である。
【図６−１】針棒上下動停止状態における針棒抱き下降時の要部縦断側面図である。
【図６−２】針棒上下動停止状態における針棒抱き上昇時の要部縦断側面図である。
【図７】針棒脱落防止時における針棒抱き上下動時の要部縦断側面図である。
【図８】第１変更形態に係る図２相当図である。
【図９】針棒係止板の斜視図である。
【図１０】第２変更形態に係る図７相当図である。
【図１１】第３変更形態に係る図５−１相当図である。
【図１２】図１１の針棒横断平面図である。
【符号の説明】
【００７２】
１      ２本針ミシン
４       主軸
５       針棒支持枠
５ａ    上部枠
５ｂ    下部枠
７Ｌ    針棒
７Ｒ    針棒
７ａ    上側係止凹部
７ｂ    下側係止凹部
７ｄ    縦溝
１１    駆動力伝達装置
１２Ｌ  作動レバー
１２ａ  上側当接面
１２ｂ  下側当接面
１３Ｌ  針棒抱き機構
１３Ｒ  針棒抱き機構
１４Ｌ  針棒係止機構
１４Ｒ  針棒係止機構
１５    操作機構
１７    針棒抱き
１９    針棒クランク
２１    枢支ピン
２２Ｌ  座金
２２Ｒ  座金
２５Ｌ  第１係止片
２５Ｒ  第１係止片
２６Ｌ  第１圧縮コイルバネ
２６Ｒ  第１圧縮コイルバネ
２７Ｌ  ロック機構
２７Ｒ  ロック機構
３１Ｌ  揺動レバー
３１Ｒ  揺動レバー
３３Ｌ  係止レバー
３３Ｒ  係止レバー
３６    解除ピン
４１Ｌ  第２係止片
４１Ｒ  第２係止片
４２Ｌ  圧縮コイルバネ
４２Ｒ  圧縮コイルバネ
４６    摺動片
５０    針棒係止板
５１    リング部材
５２    Ｅリング
【図１】
2006095271.tif 000003
【図２】
2006095271.tif 000004
【図３】
2006095271.tif 000005
【図４】
2006095271.tif 000006
【図５−１】
2006095271.tif 000007
【図５−２】
2006095271.tif 000008
【図６−１】
2006095271.tif 000009
【図６−２】
2006095271.tif 000010
【図７】
2006095271.tif 000011
【図８】
2006095271.tif 000012
【図９】
2006095271.tif 000013
【図１０】
2006095271.tif 000014
【図１１】
2006095271.tif 000015
【図１２】
2006095271.tif 000016